(57)【要約】【課題】タグ装置に記録されている情報を有効に利用する。【解決手段】端末装置３０は、タグ装置５０に記録されている情報の入力を受ける入力受付部（Ｉ／Ｆ４０ｈ）と、入力された情報をサーバ装置に送信して当該商品の正当性の認証を要求する要求部（ＣＰＵ４０ｆ）と、商品の正当性が認証された場合に送信されてくる情報を呈示する呈示部（表示部４０ｇ）と、を有し、サーバ装置は、商品に関する情報を記録する記録部（ＨＤＤ１０ｂ）と、端末装置から正当性の認証の要求がなされた場合には、正当性の認証を行う認証部（ＣＰＵ１０ｅ）と、正当性が認証された場合には、記録部に記録されている該当する情報を取得して端末装置に送信する送信部（１０ｇ）と、を有する。【選択図】図１
2010079560.tif 000002
【特許請求の範囲】
【請求項１】
タグ装置が付された商品に関する情報を記録するサーバ装置と、当該サーバ装置に記録されている情報を取得して呈示する端末装置とを有する商品情報管理システムにおいて、
前記端末装置は、
前記タグ装置に記録されている情報の入力を受ける入力受付部と、
前記入力受付部を介して入力された情報を前記サーバ装置に送信して、当該商品の正当性の認証を要求する要求部と、
前記サーバ装置によって前記商品の正当性が認証された場合に送信されてくる情報を呈示する呈示部と、を有し、
前記サーバ装置は、
前記商品に関する情報を記録する記録部と、
前記端末装置から正当性の認証の要求がなされた場合には、前記端末装置から送信された情報に基づいて正当性の認証を行う認証部と、
前記認証部によって正当性が認証された場合には、前記記録部に記録されている該当する情報を取得して前記端末装置に送信する送信部と、を有する、
ことを特徴とする商品情報管理システム。
【請求項２】
請求項１に記載の商品情報管理システムにおいて、
前記タグ装置には、前記商品の製造時において製造業者によって各商品に固有の情報が書き込まれ、
前記サーバ装置は、前記各商品に固有の情報に基づいて正当性の認証に成功した場合には、前記端末装置の前記呈示部に対して、前記商品に関する情報を呈示させる、
ことを特徴とする商品情報管理システム。
【請求項３】
請求項２に記載の商品情報管理システムにおいて、
前記サーバ装置は、前記各商品に固有の情報に基づいて正当性の認証に成功した場合には、当該商品の製造状況に関する情報を前記端末装置の前記呈示部に対して呈示させる、
ことを特徴とする商品情報管理システム。
【請求項４】
請求項１乃至３のいずれか１項に記載の商品情報管理システムにおいて、
前記商品は複数の流通過程を経由して流通されるとともに、前記タグ装置にはそれぞれの流通過程に配置されているリーダライタによって各流通過程を経由したことを示す情報が書き込まれ、
前記サーバ装置は、前記各流通過程を経由したことを示す情報に基づいて正当性の認証に成功した場合には、前記端末装置の前記呈示部に対して、前記商品に関する情報を呈示させる、
ことを特徴とする商品情報管理システム。
【請求項５】
請求項４に記載の商品情報管理システムにおいて、
前記サーバ装置は、前記各流通過程を経由したことを示す情報に基づいて正当性の認証に成功した場合には、流通過程に存在する同一種類の商品の個数を示す情報を前記端末装置の前記呈示部に呈示させる、
ことを特徴とする商品情報管理システム。
【請求項６】
請求項１乃至５のいずれか１項に記載の商品情報管理システムにおいて、
前記タグ装置は商品が置かれている環境に関する情報を記録し、
前記サーバ装置は、前記環境に関する情報に基づいて正当性の認証に成功した場合には、前記端末装置の前記呈示部に対して、前記商品に関する情報を呈示させる、
ことを特徴とする商品情報管理システム。
【請求項７】
請求項６に記載の商品情報管理システムにおいて、
前記サーバ装置は、前記環境に関する情報に基づいて正当性の認証に成功した場合には、前記環境に関する情報に基づいて、当該商品の消費時期に関する情報を生成し、前記端末装置の前記呈示部に対して呈示させる、
ことを特徴とする商品情報管理システム。
【請求項８】
請求項１に記載の商品情報管理システムにおいて、
前記商品はワインであり、前記サーバ装置は、前記ワインの製造業者、流通過程、および、管理状態が正当である場合に、前記商品に関する情報を前記端末装置の前記呈示部に呈示させる、
ことを特徴とする商品情報管理システム。
【請求項９】
請求項１乃至８のいずれか１項に記載の商品情報管理システムにおいて、
前記入力受付部はリーダライタであり、前記タグ装置に格納されている情報を読み取ることを特徴とする商品情報管理システム。
【請求項１０】
請求項１乃至８のいずれか１項に記載の商品情報管理システムにおいて、
前記タグ装置は格納されている情報を表示装置に表示可能であり、前記入力受付部には前記表示装置に表示された情報または当該情報に基づいて生成された情報が入力されることを特徴とする商品情報管理システム。
【請求項１１】
タグ装置が付された商品に関する情報を記録するサーバ装置と、当該サーバ装置に記録されている情報を取得して呈示する端末装置とを有する商品情報管理システムの商品情報管理方法において、
前記端末装置は、
前記タグ装置に記録されている情報の入力を受ける入力ステップと、
前記入力ステップにおいて入力された情報を前記サーバ装置に送信して、当該商品の正当性の認証を要求する要求ステップと、
前記サーバ装置によって前記商品の正当性が認証された場合に送信されてくる情報を呈示する呈示ステップと、を有し、
前記サーバ装置は、
前記商品に関する情報を記録装置に記録する記録ステップと、
前記端末装置から正当性の認証の要求がなされた場合には、前記端末装置から送信された情報に基づいて正当性の認証を行う認証ステップと、
前記認証ステップにおいて正当性が認証された場合には、前記録装置に記録されている該当する情報を取得して前記端末装置に送信する送信ステップと、を有する、
ことを特徴とする商品情報管理方法。
【発明の詳細な説明】
【技術分野】
【０００１】
本発明は、商品情報管理システムおよび商品情報管理方法に関する。
【背景技術】
【０００２】
特許文献１には、輸送される商品にタグ装置を付して商品の温度と時刻を記録し、ゲート端末装置がタグ装置から受信したデータ中の劣化フラグが立っていた場合には、ゲート端末装置が警告を出力する流通管理システムが開示されている。
【特許文献１】特開２００４−２１７４２６号公報
【発明の開示】
【発明が解決しようとする課題】
【０００３】
ところで、特許文献１に開示される技術では、タグ装置に記録されている情報は流通過程のみで使用されていたので、例えば、消費者等は当該情報を利用することができず、情報を有効利用することができないという問題点がある。
【０００４】
本発明は、上述した事情に鑑みてなされたものであり、商品に付されたタグ装置に記録されている情報を有効に利用することが可能な商品情報管理システムおよび商品情報管理方法を提供することを目的とする。
【課題を解決するための手段】
【０００５】
上記目的を達成するために、本発明は、タグ装置が付された商品に関する情報を記録するサーバ装置と、当該サーバ装置に記録されている情報を取得して呈示する端末装置とを有する商品情報管理システムにおいて、前記端末装置は、前記タグ装置に記録されている情報の入力を受ける入力受付部と、前記入力受付部を介して入力された情報を前記サーバ装置に送信して、当該商品の正当性の認証を要求する要求部と、前記サーバ装置によって前記商品の正当性が認証された場合に送信されてくる情報を呈示する呈示部と、を有し、前記サーバ装置は、前記商品に関する情報を記録する記録部と、前記端末装置から正当性の認証の要求がなされた場合には、前記端末装置から送信された情報に基づいて正当性の認証を行う認証部と、前記認証部によって正当性が認証された場合には、前記記録部に記録されている該当する情報を取得して前記端末装置に送信する送信部と、を有することを特徴とする。
この構成によれば、商品に付されたタグ装置に記録されている情報に基づいて、当該商品に関する情報を取得することができるので、タグ装置に記録されている情報を有効に利用することが可能となる。
【０００６】
また、他の発明は、上記発明に加えて、前記タグ装置には、前記商品の製造時において製造業者によって各商品に固有の情報が書き込まれ、前記サーバ装置は、前記各商品に固有の情報に基づいて正当性の認証に成功した場合には、前記端末装置の前記呈示部に対して、前記商品に関する情報を呈示させることを特徴とする。
この構成によれば、正当な製造業者によって製造されたことが認証された場合に、商品に関する情報が表示されるので、それ以外の商品に対して情報の開示を制限できる。
【０００７】
また、他の発明は、上記発明に加えて、前記サーバ装置は、前記各商品に固有の情報に基づいて正当性の認証に成功した場合には、当該商品の製造状況に関する情報を前記端末装置の前記呈示部に対して呈示させることを特徴とする。
この構成によれば、正当な製造業者によって製造されたことが認証された場合には、製造状況に関する情報が呈示されるので、どのような製造状況で製造されたかを知ることができる。
【０００８】
また、他の発明は、上記発明に加えて、前記商品は複数の流通過程を経由して流通されるとともに、前記タグ装置にはそれぞれの流通過程に配置されているリーダライタによって各流通過程を経由したことを示す情報が書き込まれ、前記サーバ装置は、前記各流通過程を経由したことを示す情報に基づいて正当性の認証に成功した場合には、前記端末装置の前記呈示部に対して、前記商品に関する情報を呈示させることを特徴とする。
この構成によれば、正当な流通過程を経由したことが認証された場合に、商品に関する情報が表示されるので、それ以外の商品に対して情報の開示を制限できる。
【０００９】
また、他の発明は、上記発明に加えて、前記サーバ装置は、前記各流通過程を経由したことを示す情報に基づいて正当性の認証に成功した場合には、流通過程に存在する同一種類の商品の個数を示す情報を前記端末装置の前記呈示部に呈示させることを特徴とする。
この構成によれば、正当な流通過程を経由したことが認証された場合には、流通過程に存在する同一種類の商品の個数を示す情報が呈示されるので、商品の希少性等を知ることができる。
【００１０】
また、他の発明は、上記発明に加えて、前記タグ装置は商品が置かれている環境に関する情報を記録し、前記サーバ装置は、前記環境に関する情報に基づいて正当性の認証に成功した場合には、前記端末装置の前記呈示部に対して、前記商品に関する情報を呈示させる、ことを特徴とする。
この構成によれば、正当な管理がなされたことが認証された場合に、商品に関する情報が表示されるので、それ以外の商品に対して情報の開示を制限できる。
【００１１】
また、他の発明は、上記発明に加えて、前記サーバ装置は、前記環境に関する情報に基づいて正当性の認証に成功した場合には、前記環境に関する情報に基づいて、当該商品の消費時期に関する情報を生成し、前記端末装置の前記呈示部に対して呈示させることを特徴とする。
この構成によれば、正当な管理がなされたことが認証された場合には、商品の消費期限に関する情報が表示されるので、商品が配置されていた環境に応じた最適な時期に消費することができる。
【００１２】
また、他の発明は、上記発明に加えて、前記商品はワインであり、前記サーバ装置は、前記ワインの製造業者、流通過程、および、管理状態が正当である場合に、前記商品に関する情報を前記端末装置の前記呈示部に呈示させることを特徴とする。
この構成によれば、商品であるワインの製造業者、流通過程、管理状況が正当である場合に、商品に関する情報が表示されるので、正当で品質が保証できるワインに対してのみ、商品に関する情報を呈示することができる。
【００１３】
また、他の発明は、上記発明に加えて、前記入力受付部はリーダライタであり、前記タグ装置に格納されている情報を読み取ることを特徴とする。
この構成によれば、リーダライタによってタグ装置に格納されている情報を読み取ることにより、商品に関する情報を得ることができる。
【００１４】
また、他の発明は、上記発明に加えて、前記タグ装置は格納されている情報を表示装置に表示可能であり、前記入力受付部には前記表示装置に表示された情報または当該情報に基づいて生成された情報が入力されることを特徴とする。
この構成によれば、リーダライタが存在しない場合であっても、表示装置に表示された情報を入力受付部に入力することにより、商品に関する情報を得ることができるので、特に、消費者等にとっては使い勝手がよい。
【００１５】
また、本発明は、タグ装置が付された商品に関する情報を記録するサーバ装置と、当該サーバ装置に記録されている情報を取得して呈示する端末装置とを有する商品情報管理システムの商品情報管理方法において、前記端末装置は、前記タグ装置に記録されている情報の入力を受ける入力ステップと、前記入力ステップにおいて入力された情報を前記サーバ装置に送信して、当該商品の正当性の認証を要求する要求ステップと、前記サーバ装置によって前記商品の正当性が認証された場合に送信されてくる情報を呈示する呈示ステップと、を有し、前記サーバ装置は、前記商品に関する情報を記録装置に記録する記録ステップと、前記端末装置から正当性の認証の要求がなされた場合には、前記端末装置から送信された情報に基づいて正当性の認証を行う認証ステップと、前記認証ステップにおいて正当性が認証された場合には、前記録装置に記録されている該当する情報を取得して前記端末装置に送信する送信ステップと、を有する、ことを特徴とする。
この構成によれば、商品に付されたタグ装置に記録されている情報に基づいて、当該商品に関する情報を取得することができるので、タグ装置に記録されている情報を有効に利用することが可能となる。
【発明の効果】
【００１６】
本発明によれば、商品に付されたタグ装置に記録されている情報を有効に利用することが可能な商品情報管理システムおよび商品情報管理方法を提供することができる。
【発明を実施するための最良の形態】
【００１７】
以下、図面を参照して本発明の実施形態について説明する。なお、以下では、本発明の商品情報管理方法は、商品情報管理システムの動作として説明する。
【００１８】
（Ａ）実施形態の構成の説明
図１は、本発明の実施形態に係る商品情報管理システムの概略構成を示す図である。図１に示すように、商品情報管理システムは、ホストコンピュータ１０、ネットワーク２０、端末装置３０−０〜３０−７、リーダライタ４０−０〜４０−７、および、タグ装置５０を主要な構成要素としている。
【００１９】
ここで、ホストコンピュータ１０は、図２に示すように、ＲＯＭ（Ｒｅａｄ  Ｏｎｌｙ  Ｍｅｍｏｒｙ）１０ａ、ＨＤＤ（Ｈａｒｄ  Ｄｉｓｋ  Ｄｒｉｖｅ）１０ｂ、入力部１０ｃ、ＲＡＭ（Ｒａｎｄｏｍ  Ａｃｃｅｓｓ  Ｍｅｍｏｒｙ）１０ｄ、ＣＰＵ（Ｃｅｎｔｒａｌ  Ｐｒｏｃｅｓｓｉｎｇ  Ｕｎｉｔ）１０ｅ、表示部１０ｆ、ネット接続部１０ｇを主要な構成要素とし、ＨＤＤ１０ｂに格納されているアプリケーションプログラムを実行することにより、リーダライタ４０−０〜４０−７によってタグ装置５０から読み取られた情報を端末装置３０−０〜３０−７およびネットワーク２０を介して取得し、管理する。ここで、ＲＯＭ１０ａは、ＣＰＵ１０ｅが実行する基本的なプログラムおよびデータを格納する。ＨＤＤ１０ｂは、ＣＰＵ１０ｅが実行するプログラムおよびデータを格納する。入力部１０ｃは、例えば、キーボードによって構成される。ＲＡＭ１０ｄは、ＣＰＵ１０ｅがＲＯＭ１０ａまたはＨＤＤ１０ｂに格納されているプログラムを実行する際のワーキングエリアとして機能する。ＣＰＵ１０ｅは、ＲＯＭ１０ａまたはＨＤＤ１０ｂに格納されているプログラムを実行ことにより装置の各部を制御する。表示部１０ｆは、例えば、ＬＣＤ（Ｌｉｑｕｉｄ  Ｃｒｙｓｔａｌ  Ｄｉｓｐｌａｙ）によって構成されている。ネット接続部１０ｇは、ネットワーク２０を介して端末装置３０−０〜３０−７との間で情報の授受を行う際にデータの表現形式を変換する。なお、ホストコンピュータ１０は、個々の製造業者との契約により割り当てられた商品毎の情報を保存する。また記録された情報への問い合わせに対してはあらかじめ定められた顧客認証手続きにより、登録のない場合は登録を要求し、正常に登録されている問い合わせ元に対しては記録されている情報などをあらかじめ定められた手順に基づいて開示する。開示する情報やデータの形式などは任意に設定、変更することができる。
【００２０】
ネットワーク２０は、例えば、インターネットによって構成され、ホストコンピュータ１０および端末装置３０−０〜３０−７の間において情報をパケット化して送受信する。端末装置３０−０〜３０−７は同様の構成とされているので、以下では、これらを端末装置３０として説明する。図３に示すように、端末装置３０は、ＲＯＭ３０ａ、ＨＤＤ３０ｂ、入力部３０ｃ、ＲＡＭ３０ｄ、ＣＰＵ３０ｅ、表示部３０ｆ、ネット接続部３０ｇ、および、Ｉ／Ｆ（Ｉｎｔｅｒｆａｃｅ）３０ｈを主要な構成要素としている。端末装置３０の構成は、ホストコンピュータ１０の構成と略同じである。なお、Ｉ／Ｆ３０ｈには、リーダライタ４０が接続され、リーダライタ４０によって読み取られた情報を入力する。端末装置３０は、ＨＤＤ３０ｂに格納されているアプリケーションプログラムを実行することにより、リーダライタ４０−０〜４０−７によって読み出された情報を格納するとともに、格納した情報をホストコンピュータ１０に転送する。また、ホストコンピュータ１０に格納されている情報に対する照会要求がなされた場合には、ホストコンピュータ１０にアクセスしてそこに格納されている情報を取得して呈示する。
【００２１】
リーダライタ４０−０〜４０−７は、品質管理の対象となる製品が通過する各流通過程に配備され、製品に付されたタグ装置５０に記録された情報を読み出して確認を行うとともに、各流通過程に固有な情報その他をタグ装置５０に書き込む処理を行う。なお、リーダライタ４０−０〜４０−７は筐体に組み込んだハンディターミナルのような形態であったり、あるいは商品の入庫、出庫の検査をするラインに取り付けるモジュール機器のような形態であったりしてもよい。また消費者が使えるようにパーソナルコンピュータの汎用インタフェース（例えば、ＵＳＢ（Ｕｎｉｖｅｒｓａｌ  Ｓｅｒｉａｌ  Ｂｕｓ）等）に接続して使うものでもよい。なお、この実施の形態では、品質管理の対象となる商品はワイン（特に厳格な温度管理を要求されるＡＯＣ（原産地統制呼称ワイン）やＶＤＱＳ（優良品質限定ワイン）等の高級ワイン）であり、タグ装置５０は、後述するようにワインのボトルに取り付けられている。また、端末装置３０−０およびリーダライタ４０−０は製造業者に配備され、端末装置３０−１およびリーダライタ４０−１は運送業者に配備され、端末装置３０−２，３０−３およびリーダライタ４０−２，４０−３は卸業者に配備され、端末装置３０−４およびリーダライタ４０−４は運送業者に配備され、端末装置３０−５，３０−６およびリーダライタ４０−５，４０−６は小売業者に配備され、端末装置３０−７およびリーダライタ４０−７は消費者のもとに配備されているものとする。
【００２２】
図４は、図１に示すリーダライタ４０−０〜４０−７の構成例を示す図である。なお、リーダライタ４０−０〜４０−７は同様の構成とされているので、以下では、これらをリーダライタ４０として説明する。リーダライタ４０は、図４に示すように、通信部４０ａ、ＲＯＭ４０ｂ、変復調回路４０ｃ、入力部４０ｄ、ＲＡＭ４０ｅ、ＣＰＵ４０ｆ、表示部４０ｇ、Ｉ／Ｆ４０ｈを主要な構成要素としている。ここで、通信部４０ａは、アンテナを有し、当該アンテナを介してタグ装置５０との間で無線によって情報を授受するとともに、電磁誘導によりタグ装置５０に電力を給電する。ＲＯＭ４０ｂは、プログラムおよびデータを格納しており、ＲＯＭ４０ｂに格納されているこれらのプログラムおよびデータに基づいてＣＰＵ４０ｆが処理を実行することにより、装置の各部が制御される。変復調回路４０ｃは、ＣＰＵ４０ｆから供給された情報に基づいて搬送波を変調し、通信部４０ａを介してタグ装置５０に送信するとともに、タグ装置５０から送信され、通信部４０ａによって受信された搬送波に重畳されている情報を復調してもとの情報を抽出する。入力部４０ｄは、例えば、キーボード等に入力デバイスによって構成され、操作者の操作に応じた情報を生成して出力する。ＲＡＭ４０ｅは、ＣＰＵ４０ｆがＲＯＭ４０ｂに格納されているプログラムを実行する際にワーキングエリアとして使用される。ＣＰＵ４０ｆは、ＲＯＭ４０ｂに格納されているプログラムを実行することにより、装置の各部を制御する中央演算ユニットである。表示部４０ｇは、例えば、液晶ディスプレイによって構成され、ＣＰＵ４０ｆから供給された情報を表示する。Ｉ／Ｆ４０ｈには、端末装置３０との間で情報を授受する際にデータの表現形式を変換する処理を実行する。なお、Ｉ／Ｆ４０ｈは、例えば、イーサネット（登録商標）、ブルートゥース（登録商標）、または、携帯電話キャリアと接続するための通信回路であってもよい。また、入力部４０ｄおよび表示部４０ｇは、リーダライタ４０がパーソナルコンピュータと接続される場合には、パーソナルコンピュータの表示部および入力部を使用するようにしてもよい。
【００２３】
図５は、図１に示すタグ装置５０の構成例を示す図である。タグ装置５０は、図５に示すように、通信部５０ａ、ＲＯＭ５０ｂ、変復調回路５０ｃ、充電監視回路５０ｄ、ＲＡＭ５０ｅ、ＣＰＵ５０ｆ、バッテリ５０ｇ、電源回路５０ｈ、不揮発性メモリ５０ｉ、時計５０ｊ、および、温度センサ５０ｋを主要な構成要素としている。ここで、通信部５０ａは、アンテナを有し、当該アンテナを介してリーダライタ４０との間で無線によって情報を授受するとともに、電磁誘導によりリーダライタ４０から電力を受電する。ＲＯＭ５０ｂは、プログラムおよびデータを格納しており、ＲＯＭ５０ｂに格納されているこれらのプログラムおよびデータに基づいてＣＰＵ５０ｆが処理を実行することにより、装置の各部が制御される。変復調回路５０ｃは、ＣＰＵ５０ｆから供給された情報に基づいて搬送波を変調し、通信部５０ａを介してリーダライタ４０に送信するとともに、リーダライタ４０から送信され通信部５０ａによって受信された搬送波に重畳されている情報を復調してもとの情報を抽出する。充電監視回路５０ｄは、リーダライタ４０から送信された電力に基づいてバッテリ５０ｇを充電するとともに、バッテリ５０ｇの充電状態を監視し、監視結果をＣＰＵ５０ｆに伝える。ＲＡＭ５０ｅは、ＣＰＵ５０ｆがＲＯＭ５０ｂに格納されているプログラムを実行する際にワーキングエリアとして使用される。ＣＰＵ５０ｆは、ＲＯＭ５０ｂに格納されているプログラムを実行することにより、装置の各部を制御する中央演算ユニットである。バッテリ５０ｇは、例えば、リチウムイオン電池等の二次電池によって構成され、直流電力を発生して電源回路５０ｈに供給する。なお、二次電池の代わりに、例えば、スーパーキャパシタ（電気二重層コンデンサ）等を使用することも可能である。電源回路５０ｈは、バッテリ５０ｇから供給された直流電力の電圧が一定になるように制御するとともに、得られた一定電圧の直流電力を装置の各部に供給する。不揮発性メモリＲＡＭ５０ｉは、後述するように、温度センサ５０ｋによって測定された温度データおよび日時データを格納するとともに、管理する対象となる商品であるワインに関する情報を記憶する。時計５０ｊは、例えば、ＲＴＣ（Ｒｅａｌ  Ｔｉｍｅ  Ｃｌｏｃｋ）によって構成され、日時情報を生成して出力する。また、時計５０ｊは、設定された日時になるとタイマ割り込みを発生する。温度センサ５０ｋは、例えば、サーミスタまたは熱電対等によって構成され、品質管理の対象となるワインの温度を測定して対応する温度データを出力する。
【００２４】
図６は、タグ装置５０をボトルワイン７０のボトル７１に取り付けた例を示す図である。図６の例では、ボトルワイン７０のボトル７１の内部には液体のワイン７３が貯留されるとともに、口にはコルク栓７２が挿入されている。また、ボトル７１の底部にはタグ装置５０が封入されている。なお、温度センサ５０ｋは、ボトル７１を構成するガラスに接触するように配置されているので、ボトル７１の温度が遅滞なく、温度センサ５０ｋによって検出される。
【００２５】
図７は、タグ装置５０をボトルワイン８０のボトル８１に取り付けた他の例を示す図である。図７の例では、ボトルワイン８０のボトル８１の内部には液体のワイン８３が貯留されるとともに、口にはコルク栓８２が挿入されている。また、ボトル８１の底のくぼみ内には、タグ装置５０が取り付けられるとともに、樹脂８４によってタグ装置５０が封止されている。なお、温度センサ５０ｋは、前述の場合と同様に、ボトル８１を構成するガラスに接触するように配置されているので、ボトル８１の温度が遅滞なく、温度センサ５０ｋによって検出される。なお、以下では、ボトルワイン７０を例に挙げて説明するが、図６または図７のどちらの構成を採用してもよい。
【００２６】
図８は、ボトルワイン７０に取り付けられたタグ装置５０とリーダライタ４０との間の通信の形態を示す図である。図８（Ａ）の例では、通信対象となるボトルワイン７０が１本の場合であり、このような場合にはボトルワイン７０に取り付けられたタグ装置５０とリーダライタ４０とは１対１の通信を行う。一方、図８（Ｂ）に示すように、通信対象となるボトルワイン７０が複数存在する場合には、通信モジュール９０を介して通信を行うようにしてもよい。すなわち、図８（Ｂ）の例では、輸送コンテナのように複数のボトルワイン７０が配置されている場合には、コンテナの内部に個々のボトルワイン７０と通信可能な通信モジュール９０を設置し、外部のリーダライタ４０とコンテナ内部のボトルワイン７０のタグ装置５０との通信を仲介するようにしてもよい。
【００２７】
（Ｂ）実施形態の動作の説明
つぎに、本発明の実施形態の動作について説明する。なお、以下では、まず、本発明の実施形態の動作の概要について説明し、つぎに、ボトルワイン７０の流通過程と、それぞれの流通過程におけるタグ装置５０の動作を説明した後、小売業者または消費者が有する端末装置３０−６または端末装置３０−７からホストコンピュータ１０に記録されている情報に対して照会の要求がなされた場合の動作について説明する。
【００２８】
（Ｂ−１）実施形態の動作の概要
図９は、本発明の実施形態の動作の概要を説明するための図である。この図に示すように、本実施形態では、ボトルワイン７０は、エリア０〜５の複数の流通過程を経由して消費者のもとに届けられる。製造業者の管理するエリア０では、ボトルワイン７０に付されたタグ装置５０には、初期情報として製造番号その他の情報がリーダライタ４０−０によって書き込まれるとともに、エリア０を経由したことを示す情報が書き込まれる。そして、タグ装置５０に書き込まれた情報（初期情報およびエリア０を経由したことを示す情報）はネットワーク２０を介してホストコンピュータ１０に送信され、そこに記録される。初期情報等が書き込まれたボトルワイン７０は、製造業者のもとに一時的に保管されるが、その際、タグ装置５０は、バッテリ５０ｇに蓄電されている電力に基づいて、ボトルワイン７０の温度を所定の頻度で測定し、不揮発性メモリ５０ｉに測定日時データとともに格納する。製造業者から運送業者にボトルワイン７０が出荷されると、運送業者ではリーダライタ４０−１によって、タグ装置５０に記録されているエリア０の温度データを取得し、温度異常が発生していないかを確認し、異常が発生していない場合には、記録情報をホストコンピュータ１０に転送して記録するとともに、エリア１を経由したことを示す情報をタグ装置５０とホストコンピュータ１０に書き込む。また、温度異常が発生している場合には、ワインの品質に問題が生じているとして流通過程から外される。このような処理は、各エリアにおいて実行され、各エリアにおいてそれぞれのリーダライタ４０により、記録情報が読み取られて温度異常が発生していないか判定され、発生していない場合には、ホストコンピュータ１０に記録情報が転送されて記録されるとともに、エリアを経由したことを示す通過情報がタグ装置５０とホストコンピュータ１０に記録される。
【００２９】
ところで、消費者が小売業者の店舗においてボトルワイン７０を購入しようとする際、または、自宅においてボトルワイン７０を消費しようとする際、その品質を確認したい場合がある。例えば、後者の場合には、消費者は自宅に配置されているリーダライタ４０−７によって対象となるボトルワイン７０のタグ装置５０を読み取る。その結果、リーダライタ４０−７は、タグ装置５０に格納されている製品番号等を読み取り、端末装置３０−７を介してホストコンピュータ１０に送信し、証明書等を送信するように要求する。ホストコンピュータ１０では、送られてきた製品番号等に基づいて当該ボトルワイン７０の正当性を認証する。ここで、正当性とは、当該ボトルワイン７０が、正規の製造業者によって製造され、正規の流通過程を経由し、かつ、適切な管理がなされたことである。まず、正規に製造されたか否かについては、タグ装置５０に記録されている固有の番号である製造番号等がホストコンピュータ１０に記録されているか否かによって確認される。つぎに、正規の流通過程を経由したか否かについては、ホストコンピュータ１０に記録されている通過情報に基づいて判断される。正規の流通過程を経由している場合には、ホストコンピュータ１０には全ての流通過程に関する通過情報が格納されているので、これに基づいて判断する。さらに、適切な管理がなされたか否かについては、ホストコンピュータ１０に記録されている温度の記録情報に基づいて判断される。そして、これらを全て満足している場合には、正当なボトルワイン７０であると判断され、ホストコンピュータ１０から、ワインの証明書が端末装置３０−７に対して送信され、消費者は、当該ボトルワイン７０に対する証明書を参照することができる。また、証明書とともに、例えば、各流通過程を通過したことを示す情報や、温度に関する記録情報についても併せて表示することにより、消費者は、品質に対するより一層の安心を得ることができる。なお、認証の際に、タグ装置５０に記録されている情報と、ホストコンピュータ１０に記録されている情報が一致することを条件として、正当性を判断するようにしてもよい。つまり、製造番号等、通過情報、および、温度の記録情報がタグ装置５０とホストコンピュータ１０とで一致するか否かに基づいて正当性を判断することにより、なりすましを確実に判断できるようにしてもよい。
【００３０】
（Ｂ−２）ボトルワインの流通過程における動作
つぎに、図１０を参照して、ボトルワイン７０の流通過程と、各流通過程において記録される情報について説明する。まず、エリア０の製造業者では、ワインを製造し、ボトル７１に詰めてボトルワイン７０とし、出荷可能な状態にする（Ｐ１）。ボトル詰めが終了すると、ボトル７１に組み込んであるタグ装置５０に対して、リーダライタ４０−０を用いて、初期情報を書き込む（Ｐ２）。初期情報としては、図１１に示す情報と、図１２に示す情報とが存在する。図１１は、初期情報として書き込まれる情報の一例を示している。この例では、初期情報としては、図１１（Ａ）に示す商品固有の情報と、図１１（Ｂ）に示す流通過程における各エリアに関する情報とが存在する。より具体的には、図１１（Ａ）に示す例では、「メーカ名」、「商品名」、「製造工場番号」、「製造番号」、および、「製造順位」が存在し、この例では、これらはそれぞれ「ＡＢＣ」、「ＤＥＦ」、「ＡＢＣ１２３４５」、「ＤＥＦ５４３２１」、「２３４３」とされている。なお、製造順位とは同じ商品名を有するボトルワインのうち、当該ボトルワインが製造された順番を示している。また、図１１（Ｂ）に示すように、流通過程における各エリアに関する情報としては、各エリアに配置されたリーダライタ４０−０〜４０−７が有する「ＩＤ」、「エリア番号」、「記録頻度」、および、「通過チェック」が存在する。ここで、「ＩＤ」はリーダライタ４０−０〜４０−７がそれぞれ有する固有の情報であり、タグ装置５０の情報を読み書きする際に、リーダライタ４０−０〜４０−７から送信される。ＩＤを受信したタグ装置５０では、格納されているいずれかのＩＤと一致するか否かを判定し、一致する場合には正規のリーダライタであるとして、情報の読み書きを開始し、それ以外の場合には読み書きを拒否する。「エリア番号」は、各ＩＤを有するリーダライタが属するエリアの番号である。また、「記録頻度」は、温度データを測定して記録する頻度を示し、例えば、「２４ｈ」は２４時間で１回記録することを示す。「通過チェック」は、初期状態では「０」とされ、各リーダライタによって情報の読み書きがなされた場合に「１」に変更され、当該エリアを通過したことを示す。なお、図１１（Ｂ）の第１行目の情報は、「エリア０」では、リーダライタのＩＤは「０００００」であり、記録頻度は「２４ｈ」で１回であることを示している。また、この例では、通過チェックは未チェック「０」とされている。
【００３１】
図１２は、各エリアにおいて測定された温度データの格納状態を示している。この例では、エリア０〜６までの領域が確保されている。エリア０については、測定日時および温度を示すデータが格納され、他のエリアについては初期値である「ＦＦ」が格納されている。本実施形態では、各エリアに保管される最長の時間と記録頻度が予め分かっていることから、初期情報の書き込み時においては、不揮発性メモリ５０ｉに、エリア毎に必要な領域が確保されるとともに、各領域に対して初期値である「ＦＦ」の書き込みが実行される。
【００３２】
つまり、図１０に示す初期情報の書き込み（Ｐ２）時には、リーダライタ４０−０によって、図１１（Ａ）および（Ｂ）に示す情報が、タグ装置５０の不揮発性メモリ５０ｉに対して書き込まれるとともに、図１２に示すように、各エリアに対応する領域が不揮発性メモリ５０ｉに確保されて初期値「ＦＦ」が書き込まれる。また、エリア０を正規に経由したことから、エリア０の通過チェックが「１」に変更される。さらに、このとき、充電監視回路５０ｄは、リーダライタ４０−０から送信された電力に基づいて、バッテリ５０ｇを充電し、満充電の状態とする。初期情報が書き込まれると、タグ装置５０は、図１１（Ｂ）の最初に格納されている情報（エリア０の情報）の記録頻度（２４ｈ）を取得し、これを時計５０ｊに設定するとともに、消費電力の少ないスリープモードに移行する。その結果、時計５０ｊは２４時間毎に割り込みを発生するので、ＣＰＵ５０ｆは、割り込みが発生すると、スリープモードから通常動作モードに移行し、その時点の日時および温度を時計５０ｊおよび温度センサ５０ｋから取得して不揮発性メモリ５０ｉに格納し、格納が終了するとまたスリープモードに戻る。
【００３３】
一方、リーダライタ４０−０は、タグ装置５０に書き込んだ初期情報と通過チェックとを、端末装置３０−０に送信する。端末装置３０−０では受信した初期情報をデータベースに保存するとともに、ホストコンピュータ１０に送信する。なお、その際、端末装置３０−０から所定の情報（例えば、パスワード等）をホストコンピュータ１０に送信して認証することにより、なりすましによって情報が偽造されることを防止できる。ホストコンピュータ１０では、送信された情報をネット接続部１０ｇを介して受信し、ＨＤＤ１０ｂに存在するデータベースに格納する。図１３は、ホストコンピュータ１０のＨＤＤ１０ｂに記録されている情報の一例を示している。この図１３に示すように、ＨＤＤ１０ｂに記録される情報としては、「製造情報」、「流通情報」、「管理情報」、「品質情報」、および、「助言情報」がある。ここで「製造情報」は初期情報としてタグ装置５０に登録される情報と同じ情報である。「流通情報」は、流通過程の各エリアを当該ボトルワイン７０が経由したか否かを示す図１１（Ｂ）の通過チェックに対応する情報が記録される。「管理情報」は、流通過程の各エリアにおける当該ボトルワイン７０の保管温度を示す図１２に対応する情報が記録される。「品質情報」は、当該ワインの糖度、アルコール度数、渋み、気候条件等を示す情報であり、当該情報は、同じ商品名のボトルワイン７０では共通であるので、品質情報としては当該商品に関する情報が記載されたデータ（ＨＴＭＬ（Ｈｙｐｅｒ  Ｔｅｘｔ  Ｍａｒｋｕｐ  Ｌａｎｇｕａｇｅ）文書）のファイル名（ｑｕａｌｉｔｙ．ｈｔｍｌ）が格納されている。「助言情報」は、当該ワインの最適な保管温度、最適な食べ合わせ料理等を示す情報であり、当該情報は、同じ商品名のボトルワイン７０では共通であるので、助言情報としては当該商品に関する情報が記載されたデータ（ＨＴＭＬ文書）のファイル名（ａｄｖｉｃｅ．ｈｔｍｌ）が格納されている。なお、「品質情報」と「助言情報」の一部をボトルワイン７０毎に変えて表示する場合には、例えば、ＣＧＩ（Ｃｏｍｍｏｎ  Ｇａｔｅｗａｙ  Ｉｎｔｅｒｆａｃｅ）等を用いて、個々のボトルワイン７０の状況に応じて個別に情報を生成することもできる。例えば、個々のボトルワイン７０の製造から消費者に届くまでに要した期間に応じて、飲み頃となる時期を個別に表示するような場合である。
【００３４】
初期情報等の書き込みが完了すると、ボトルワイン７０は、製造業者の倉庫に、例えば、１ヶ月間保管される（Ｐ３）。倉庫に保管されている際、タグ装置５０は、前述したように、２４時間毎にスリープモードから通常動作モードに移行し、温度データと日時データを取得して不揮発性メモリ５０ｉのエリア０に対応する領域に格納し、再度、スリープモードに移行する。このような動作を繰り返すことにより、倉庫に保管されている際の温度データを取得して格納することができる。格納されるデータの具体例としては、図１２に示すように「測定日時」と「温度」とがある。図１２の場合、第１行目には、「測定日時」として「ＦＳＴ：２００８／１１／２０  ５：２１」が格納され、「温度」として「１３．５」が格納されている。ここで「ＦＳＴ」はＦｒｅｎｃｈ  Ｓｕｍｍｅｒ  Ｔｉｍｅの略であり、フランス夏時間であることを示している。なお、ボトルワイン７０の運送によってタイムゾーンが変わる場合には、リーダライタ４０によって情報を読み書きする際に、時計５０ｊの発生する日時が更新される。
【００３５】
温度センサ５０ｋは、検出された温度が正常な範囲でない場合には、割り込みを発生し、温度が異常であることをＣＰＵ５０ｆに通知する。より詳細には、温度センサ５０ｋは、図１４に示すように、検出した温度がワインの保管に最適な１２〜１４℃の範囲（最適温度範囲Ｚ０）である場合には、割り込みを発生しない。しかしながら、０〜１２℃または１４〜２０℃の範囲（要注意温度範囲Ｚ１，Ｚ３）では、例えば、２時間に１回の割合で割り込みを発生する。また、０℃未満または２０℃を超える範囲（危険温度範囲Ｚ２，Ｚ４）の範囲では、例えば、１時間に１回の割合で割り込みを発生する。温度センサ５０ｋから割り込みが発生した場合には、ＣＰＵ５０ｆは、設定されている記録頻度に拘わらず、温度センサ５０ｋから取得した温度データと日時データとを不揮発性メモリ５０ｉに記録する。これにより、温度の異常が発生した場合には、異常な状況を逃さずに正確に記録することができる。
【００３６】
倉庫に保管されたボトルワイン７０は、つぎに、運送業者に引き渡される。このとき、運送業者は、リーダライタ４０−１によって、出荷情報の書き込みを行う（Ｐ４）。より詳細には、リーダライタ４０−１からはＩＤとして「１１１１１」が送信されるので、これを受信したタグ装置５０では、図１１（Ｂ）に示す情報を参照し、ＩＤが一致することから、正規のリーダライタであるとして認証するとともに、つぎのエリアがエリア１であることを認識する。また、記録頻度は「１ｈ」であることを認識するとともに、エリア１を経由したことから、エリア１の通過チェックを「０」から「１」に変更する。さらに、図１２に示すエリア０に対応する領域の最後に「Ｅｎｄ  ｏｆ  Ｆｉｌｅ」を示す情報（例えば、「ＥＦ」）を格納する。さらに、タグ装置５０の充電監視回路５０ｄは、リーダライタ４０−１から送信された電力によりバッテリ５０ｇを満充電の状態にする。一方、リーダライタ４０−１は、タグ装置５０に格納されている情報を取得し、保管温度が正常であるか否かを判定する。すなわち、リーダライタ４０−１は、タグ装置５０から取得した温度データが最適温度範囲である１２〜１４℃の範囲内に収まっているか否かを判定し、収まっていない場合には、保管温度が正常でないとして、例えば、警告等を発する。これにより、運送業者は、ボトルワイン７０を引き渡される際に、それまでの保管状況が正常でないことを知ることができるので、当該ボトルワイン７０については、その後の流通過程から除外する。また、当該ボトルワイン７０については、製造業者の不備によって品質が劣化したことを知ることができる。保管温度が正常と判断された場合には、タグ装置５０から取得された温度データと通過チェックとは端末装置３０−１のデータベースに対して登録されるとともに、端末装置３０−０およびホストコンピュータ１０に対して送信される。そして、端末装置３０−０およびホストコンピュータ１０に対しても同様のデータが登録される。すなわち、ホストコンピュータ１０では、図１３に示す流通情報のエリア１の通過チェックが「１」に変更されるとともに、管理情報のエリア０に対応する領域に測定日時データと温度データとが格納される。なお、なりすましによるデータの偽造を防ぐために、パスワード等による認証を行うようにしてもよいのは端末装置３０−０の場合と同様である。製造業者は端末装置３０−０に記録されたデータを参照することにより、自エリアにおける保管状態を知ることができる。また、ホストコンピュータ１０にデータを保存することにより、当該ボトルワインを購入しようとする消費者または購入した消費者が流通過程における状況を知ることができる。リーダライタ４０−１による情報の読み書きが終了すると、運送業者は、製造業者から卸業者までボトルワインを運送する（Ｐ５）。この運送期間は、例えば、５日間程度である。運送の間、タグ装置５０は、記録頻度である「１ｈ」に基づいて、１時間に１回の頻度で、スリープモードから通常動作モードに移行して、温度データおよび日時データを取得し、図１２のエリア１に対応する領域に格納する。また、温度の異常が発生した場合には、温度センサ５０ｋからの割り込みに基づいて、異��な温度の状況を詳細に記録する。
【００３７】
運送業者によってボトルワイン７０が、卸業者に届けられると、卸業者はリーダライタ４０−２によって入荷情報の書き込みを行う（Ｐ６）。より詳細には、リーダライタ４０−２からはＩＤとして「２２２２２」が送信されるので、これを受信したタグ装置５０では、図１１（Ｂ）に示す情報を参照し、ＩＤが一致することから、正規のリーダライタであるとして認証するとともに、エリア２であることを認識する。また、記録頻度は「２４ｈ」であることを認識するとともに、エリア２を経由したことから、エリア２の通過チェックを「１」に変更する。さらに、図１２に示すエリア１に対応する領域の最後に「Ｅｎｄ  ｏｆ  Ｆｉｌｅ」を示す情報を格納する。さらに、タグ装置５０の充電監視回路５０ｄは、リーダライタ４０−２から送信された電力によりバッテリ５０ｇを満充電の状態にする。一方、リーダライタ４０−２は、タグ装置５０に格納されているエリア１に対する温度データを取得し、保管温度が最適温度範囲である１２〜１４℃の範囲内に収まっているか否かを判定し、収まっていない場合には、保管温度が正常でないとして、例えば、警告等を発する。これにより、卸業者は、ボトルワイン７０を引き渡される際に、それまでの保管状況が正常か否かを知ることができる。保管温度が正常であると判断された場合には、タグ装置５０から取得された温度データと通過チェックとが、端末装置３０−２のデータベースに対して登録されるとともに、端末装置３０−１およびホストコンピュータ１０に対して送信される。そして、端末装置３０−１およびホストコンピュータ１０に対しても同様のデータが登録される。ホストコンピュータ１０では、図１３に示す流通情報のエリア２の通過チェックが「１」に変更されるとともに、管理情報のエリア１に対応する領域に測定日時データと温度データとが格納される。運送業者は端末装置３０−１に記録されたデータを参照することにより、自エリアにおける保管状態を知ることができる。また、ホストコンピュータ１０にはそれまでの流通過程における保管状況が累積的に保存されるため、当該ボトルワインを購入した消費者が流通過程における状況を知ることができる。リーダライタ４０−２による情報の読み書きが終了すると、卸業者は、運送業者から引き渡されたボトルワイン７０を一時的に保管する（Ｐ７）。この一時保管期間は、例えば、１週間程度である。一時保管の間、タグ装置５０は、２４時間に１回の頻度で、スリープモードから通常動作モードに移行し、温度データおよび日時データを取得し、図１２のエリア２に対応する領域に格納する。また、温度の異常が発生した場合には、温度センサ５０ｋからの割り込みに基づいて、異常な温度の状況を詳細に記録する。
【００３８】
一時保管期間が終了すると、卸業者は、市場の流通状況や小売店舗の在庫状況により卸業者所有の倉庫にボトルワイン７０を保管する。このとき、卸売業者は、倉庫に保管する前に、リーダライタ４０−３によって入庫情報の書き込みを行う（Ｐ８）。より詳細には、リーダライタ４０−３からはＩＤとして「３３３３３」が送信されるので、これを受信したタグ装置５０では、図１１（Ｂ）に示す情報を参照し、ＩＤが一致することから、正規のリーダライタであるとして認証するとともに、エリア３であることを認識する。また、記録頻度は「１６８ｈ」であることを認識するとともに、エリア３を経由したことから、エリア３の通過チェックを「１」に変更する。さらに、図１２に示すエリア２に対応する領域の最後に「Ｅｎｄ  ｏｆ  Ｆｉｌｅ」を示す情報を格納する。さらに、タグ装置５０の充電監視回路５０ｄは、リーダライタ４０−３から送信された電力によりバッテリ５０ｇを満充電の状態にする。一方、リーダライタ４０−３は、タグ装置５０に格納されている情報を取得し、保管温度が最適温度範囲である１２〜１４℃の範囲内に収まっているか否かを判定し、収まっていない場合には、保管温度が正常でないとして、例えば、警告等を発する。これにより、卸業者は、ボトルワイン７０の一時保管中の保管状況が正常か否かを知ることができる。保管温度が正常であると判断された場合には、タグ装置５０から取得された温度データと通過チェックとは、端末装置３０−３のデータベースに対して登録されるとともに、端末装置３０−２およびホストコンピュータ１０に対して送信される。そして、端末装置３０−２およびホストコンピュータ１０に対しても同様のデータが登録される。ホストコンピュータ１０では、図１３に示す流通情報のエリア３の通過チェックが「１」に変更されるとともに、管理情報のエリア２に対応する領域に測定日時データと温度データとが格納される。リーダライタ４０−３による情報の読み書きが終了すると、卸業者は、ボトルワイン７０を倉庫に保管する（Ｐ９）。この保管期間は、例えば、最長で４ヶ月程度である。保管の間、タグ装置５０は、１６８時間に１回の頻度で、スリープモードから通常動作モードに移行して、温度データおよび日時データを取得し、図１２のエリア３に対応する領域に格納する。また、温度の異常が発生した場合には、温度センサ５０ｋからの割り込みに基づいて、異常な温度の状況を正確に記録する。なお、当該保管期間中の記録頻度は１週間に１回と非常に長いため、記録と記録の間に異常が発生することも考えられるが、そのような場合であっても温度センサ５０ｋからの割り込みによって、当該異常は１時間に１回または２時間に１回の頻度で記録される。
【００３９】
卸業者の倉庫に保管されたボトルワイン７０は、つぎに、運送業者に引き渡される。このとき、運送業者は、リーダライタ４０−４によって、出荷情報の書き込みを行う（Ｐ１０）。より詳細には、リーダライタ４０−４からはＩＤとして「４４４４４」が送信されるので、これを受信したタグ装置５０では、図１１（Ｂ）に示す情報を参照し、ＩＤが一致することから、正規のリーダライタであるとして認証するとともに、エリア４であることを認識する。また、記録頻度は「１ｈ」であることを認識するとともに、エリア４を経由したことから、エリア４の通過チェックを「１」に変更する。さらに、図１２に示すエリア３に対応する領域の最後に「Ｅｎｄ  ｏｆ  Ｆｉｌｅ」を示す情報を格納する。さらにまた、タグ装置５０の充電監視回路５０ｄは、リーダライタ４０−４から送信された電力によりバッテリ５０ｇを満充電の状態にする。一方、リーダライタ４０−４は、タグ装置５０に格納されている情報を取得し、保管温度が最適温度範囲である１２〜１４℃の範囲内に収まっているか否かを判定し、収まっていない場合には、保管温度が正常でないとして、例えば、警告等を発する。これにより、運送業者は、ボトルワイン７０を引き渡される際に、それまでの保管状況が正常か否かを知ることができる。正常でない場合には、その後の流通過程から除外する。保管温度が正常であると判断された場合には、タグ装置５０から取得された温度データと通過チェックとは、端末装置３０−４のデータベースに対して登録されるとともに、端末装置３０−３およびホストコンピュータ１０に対して送信される。そして、端末装置３０−３およびホストコンピュータ１０に対しても同様のデータが登録される。ホストコンピュータ１０では、図１３に示す流通情報のエリア４の通過チェックが「１」に変更されるとともに、管理情報のエリア３に対応する領域に測定日時データと温度データとが格納される。リーダライタ４０−４による情報の読み書きが終了すると、運送業者は、卸業者のもとから、小売業者のもとまでボトルワイン７０を運送する（Ｐ１１）。この運送期間は、例えば、５日間程度である。運送の間、タグ装置５０は、１時間に１回の頻度で、スリープモードから通常動作モードに移行して、温度データおよび日時データを取得し、図１２のエリア４に対応する領域に格納する。また、温度の異常が発生した場合には、温度センサ５０ｋからの割り込みに基づいて、異常な温度の状況を正確に記録する。
【００４０】
運送業者によってボトルワイン７０が、小売業者に届けられると、小売業者はリーダライタ４０−５によって入荷情報の書き込みを行う（Ｐ１２）。より詳細には、リーダライタ４０−５からはＩＤとして「５５５５５」が送信されるので、これを受信したタグ装置５０では、図１１（Ｂ）に示す情報を参照し、ＩＤが一致することから、正規のリーダライタであるとして認証するとともに、エリア５であることを認識する。また、記録頻度は「２４ｈ」であることを認識するとともに、エリア５を経由したことから、エリア５の通過チェックを「１」に変更する。さらに、図１２に示すエリア４に対応する領域の最後に「Ｅｎｄ  ｏｆ  Ｆｉｌｅ」を示す情報を格納する。さらに、タグ装置５０の充電監視回路５０ｄは、リーダライタ４０−５から送信された電力によりバッテリ５０ｇを満充電の状態にする。一方、リーダライタ４０−５は、タグ装置５０に格納されている情報を取得し、保管温度が最適温度範囲である１２〜１４℃の範囲内に収まっているか否かを判定し、収まっていない場合には、保管温度が正常でないとして、例えば、警告等を発する。これにより、小売業者は、ボトルワイン７０を引き渡される際に、それまでの保管状況が正常か否かを知ることができる。正常でない場合には、陳列および販売の対象から除外する。保管温度が正常であると判断された場合には、タグ装置５０から取得された温度データと通過チェックとは、端末装置３０−５のデータベースに対して登録されるとともに、端末装置３０−４およびホストコンピュータ１０に対して送信される。そして、端末装置３０−４およびホストコンピュータ１０に対しても同様のデータが登録される。ホストコンピュータ１０では、図１３に示す流通情報のエリア５の通過チェックが「１」に変更されるとともに、管理情報のエリア４に対応する領域に測定日時データと温度データとが格納される。リーダライタ４０−５による情報の読み書きが終了すると、小売業者は、運送業者から引き渡されたボトルワイン７０を陳列して販売する（Ｐ１３）。この陳列販売期間は、例えば、２週間程度である。陳列販売の間、タグ装置５０は、２４時間に１回の頻度で、スリープモードから通常動作モードに移行して、温度データおよび日時データを取得し、図１２のエリア５に対応する領域に格納する。また、温度の異常が発生した場合には、温度センサ５０ｋからの割り込みに基づいて、異常な温度の状況を正確に記録する。
【００４１】
陳列販売されているボトルワイン７０が消費者によって購入される際には、小売店では、リーダライタ４０−６によって販売情報の書き込みを行う（Ｐ１４）。より詳細には、リーダライタ４０−６からはＩＤとして「６６６６６」が送信されるので、これを受信したタグ装置５０では、図１１（Ｂ）に示す情報を参照し、ＩＤが一致することから、正規のリーダライタであるとして認証するとともに、エリア６であることを認識する。また、記録頻度は「１６８ｈ」であることを認識するとともに、エリア６に入ったことから、エリア６の通過チェックを「１」に変更する。さらに、図１２に示すエリア５に対応する領域の最後に「Ｅｎｄ  ｏｆ  Ｆｉｌｅ」を示す情報を格納する。さらに、タグ装置５０の充電監視回路５０ｄは、リーダライタ４０−６から送信された電力によりバッテリ５０ｇを満充電の状態にする。一方、リーダライタ４０−６は、タグ装置５０に格納されている情報を取得し、保管温度が最適温度範囲である１２〜１４℃の範囲内に収まっているか否かを判定し、収まっていない場合には、保管温度が正常でないとして、例えば、警告等を発する。これにより、消費者は、ボトルワイン７０を購入する際に、それまでの保管状況が正常か否かを知ることができる。なお、正常でない場合には、消費者への販売を中止する。保管温度が正常であると判断された場合には、タグ装置５０から取得された温度データと通過チェックとは、端末装置３０−６のデータベースに対して登録されるとともに、端末装置３０−５およびホストコンピュータ１０に対して送信される。そして、端末装置３０−４およびホストコンピュータ１０に対しても同様のデータが登録される。ホストコンピュータ１０では、図１３に示す流通情報のエリア６の通過チェックが「１」に変更されるとともに、管理情報のエリア５に対応する領域に測定日時データと温度データとが格納される。リーダライタ４０−６による情報の読み書きが終了すると、消費者は、小売業者から購入したボトルワイン７０を自宅のワインセラー等に保管し、消費する（Ｐ１５）。この保管消費期間は、例えば、１ヶ月程度である。保管されている間、タグ装置５０は、１６８時間に１回の頻度で、スリープモードから通常動作モードに移行して、温度データおよび日時データを取得し、図１２のエリア６に対応する領域に格納する。また、温度の異常が発生した場合には、温度センサ５０ｋからの割り込みに基づいて、異常な温度の状況を正確に記録する。このように、消費者のもとにおいても、温度データを記録することにより、例えば、ワインの品質に対するクレームが消費者からなされた場合であっても、タグ装置５０に記録されている温度データを参照することにより、消費者の保管状況が適切であったか否かを知り、クレームに対して適切に対応することができる。
【００４２】
なお、ホストコンピュータ１０では、ＣＰＵ１０ｅは、所定の頻度（例えば、１日１回）で、ＨＤＤ１０ｂに格納されているデータを集計する処理を実行する。すなわち、ＣＰＵ１０ｅは、それぞれの商品毎に、総生産本数、流通過程存在本数、および、消費者所有本数を集計し、図１５に示す情報として、ＨＤＤ１０ｂに格納する。図１５の例では、ＣＰＵ１０ｅは、図１３に示す情報において、商品名が「ＤＥＦ」である商品に関する情報がいくつ格納されているかにより、総生産本数を求める。また、図１３に示す流通情報を参照し、エリア６の通過チェックが「０」である情報の数をカウントすることにより、流通過程存在本数を求める。また、エリア６の通過チェックが「１」である情報の数をカウントすることにより、消費者所有本数を求める。
【００４３】
つぎに、ボトルワイン７０が小売店に陳列されている場合、または、消費者によって購入された場合において、当該ボトルワイン７０に関する情報を表示する場合について説明する。すなわち、消費者が陳列されているボトルワイン７０を購入するに際し、そのボトルワイン７０の真贋または品質等について知りたいと思う場合がある。あるいは、消費者がボトルワイン７０の購入後に、当該ボトルワイン７０の品質について知りたいと思う場合がある。そのような場合には、小売業者または消費者が、端末装置３０−６または端末装置３０−７を操作して、ホストコンピュータ１０に格納されている情報を取得するためのアプリケーションプログラムを起動するとともに、リーダライタ４０−６またはリーダライタ４０−７によってタグ装置５０の情報を読み取る。例えば、消費者が自己の所有するリーダライタ４０−７によってタグ装置５０を読み取る操作を行うと、タグ装置５０から図１１（Ａ）に格納されている情報が読み取られ、端末装置３０−７を介してホストコンピュータ１０に送信される。ホストコンピュータ１０では、送られてきた情報に対応するデータをＨＤＤ１０ｂから検索する。なお、ボトルワイン７０の所有者以外のアクセスを禁止するために、例えば、短時間（例えば、１分間）の間だけ有効性を有するワンタイムパスワードを使用し、ホストコンピュータ１０によって当該ワンタイムパスワードが認証された場合にのみアクセスを許可するようにしてもよい。ホストコンピュータ１０のＨＤＤ１０ｂに該当する情報が格納されている場合には、ＣＰＵ１０ｅは、正当な製造業者によって製造されたと判定する。
【００４４】
つぎに、ＣＰＵ１０ｅは、ＨＤＤ１０ｂに格納されている該当する情報の流通情報を参照し、通過チェックが全て「１」になっているか否かを判定する。その結果、通過チェックが全て「１」になっている場合には、ＣＰＵ１０ｅは、正当な流通過程を経由していると判定する。なお、小売業者に陳列されている場合には、エリア６は「０」の状態であるので、これについては無視する。つぎに、ＣＰＵ１０ｅは、ＨＤＤ１０ｂに格納されている該当する情報の管理情報を参照し、それまでの流通過程における温度管理が適正であったか否かを判定する。その結果、温度異常が発生していない場合には、ＣＰＵ１０ｅは、正当な管理がされていると判定する。なお、その際に、ホストコンピュータ１０に格納さている情報と、タグ装置５０に格納されている情報を比較し、これらが一致することも含めて判定するようにしてもよい。そのような方法によれば、なりすましによる情報の不正な取得を防止できる。
【００４５】
そして、これら３つの判定を全てクリアした場合には、ＣＰＵ１０ｅは、正当な製造業者によって製造され、正当な流通過程を経由し、正当な管理がされていると判定し、例えば、図１６（Ａ）に示すような「ワイン品質証明書」を端末装置３０−７に送信して、表示部３０ｆに表示させる。この表示例では、タイトルとしての「ワイン品質証明書」が表示され、その下にはメッセージとしての「以下の通り、品質を証明します。」が表示されている。また、その下には、「メーカ名：ＡＢＣ」、「商品名：ＤＥＦ」、「製造工場番号：ＡＢＣ１２３４５」、および、「製造番号：ＤＥＦ５４３２１」が表示されている。なお、図１６（Ａ）以外にも、例えば、図１６（Ｂ），（Ｃ）および図１７（Ａ）〜（Ｃ）に示す情報を表示させるようにしてもよい。すなわち、図１６（Ｂ）の表示例では、タイトルとしての「ワイン流通証明書」が表示され、その下にはメッセージとしての「以下の通り、流通経路を証明します。」が表示されている。また、その下には、エリア０〜５までの各エリアの名称（例えば、エリア０では「ＡＢＣ」）と、各エリアを通過した日時が示されている。図１６（Ｃ）の表示例では、タイトルとしての「ワイン管理証明書」が表示され、その下にはメッセージとしての「以下の通り、管理状況を証明します。」が表示されている。また、その下には、エリア０〜５までの各エリアにおける温度の推移を示すグラフと、メッセージとしての「平均管理温度：１３．２℃」が表示されている。
【００４６】
図１７（Ａ）に示す表示例では、タイトルとしての「ワイン品質情報」が表示され、その下にはメッセージとしての「ワインの品質に関する情報は以下の通りです。」が表示されている。また、その下には、「冬の降雨量：２５０ｍｍ」、「育成期平均気温：２４℃」、「収穫期降雨量：８２ｍｍ」、「アルコール度数：１４度」、「渋み：７／１０」、および、「糖度：５％」が表示されている。図１７（Ｂ）に示す表示例では、タイトルとしての「ワイン流通量情報」が表示され、その下にはメッセージとしての「ワインの流通量に関する情報は以下の通りです。」が表示されている。また、その下には、「総生産本数：５６３２本」、「流通過程存在本数：１２３３本」、「消費者保有本数：１５６７本」、「生産順位：２３４３／５６３２」、および、「但し、２００９／４／２０現在」が表示されている。図１７（Ｃ）に示す表示例では、タイトルとしての「お客様へのアドバイス」が表示され、その下にはメッセージとしての「・ビン詰めされてから４ヶ月経過していますので、飲み頃は来月の初旬頃となります。」、「・最適な食べ合わせ料理は仔牛フィレ肉のソテーです。」、および、「・最適な保管温度は１２〜１４℃です。」が表示されている。
【００４７】
以上の情報を参照することにより、消費者は当該ボトルワイン７０が正当な製造業者によって製造され、正当な流通過程を経由しており、また、正当な温度管理がなされていることを知ることができる。また、消費者は、ワインの品質に関する情報、ワインの流通量に関する情報、および、当該ワインに関するアドバイスを得ることができるので、ボトルワイン７０についてより詳しく知ることができる。特に、高級ワインの場合には、製造本数および流通本数がワイン自体の価値を決める重要な要素となるので、このような情報を知ることにより、どのような形態によって消費するか（例えば、家族だけで消費するか、あるいは、パーティー等で重要な知人と一緒に消費するか）を決めるための参照とすることができる。
【００４８】
（Ｂ−３）端末装置およびホストコンピュータにおいて実行される処理
図１８は端末装置３０−６または端末装置３０−７において実行される処理の一例を示す図であり、図１９はホストコンピュータ１０において実行される処理の一例を示す図である。図１８に示す処理が開始されると、ステップＳ１０において、ＣＰＵ３０ｅは、リーダライタ４０を介してタグ装置５０から製造情報を読み取る。そしてステップＳ１１において、ＣＰＵ３０ｅは、取得した製造情報をネットワーク２０を介してホストコンピュータ１０に送信し、認証の要求を行う。この結果、ホストコンピュータ１０では、認証処理が実行され、製造業者、流通過程、および、管理状態の正当性の判定がなされ、これら全てが正当であると判定された場合には、端末装置３０に対して認証の成功を通知する。ステップＳ１２では、ＣＰＵ３０ｅは、認証に成功したか否かを判定し、認証に成功したと判定した場合（ステップＳ１２；Ｙｅｓ）にはステップＳ１３に進み、それ以外の場合（ステップＳ１２；Ｎｏ）には処理を終了する。
【００４９】
ステップＳ１３では、ＣＰＵ３０ｅは、ホストコンピュータ１０からワイン品質証明書を受信し、表示部３０ｆに表示する。その結果、表示部３０ｆには、図１６（Ａ）に示すような情報が表示される。なお、このような情報は、図１３に示す製造情報に基づいて生成される。ステップＳ１４では、ＣＰＵ３０ｅは、ホストコンピュータ１０からワイン流通証明書を受信し、表示部３０ｆに表示する。その結果、表示部３０ｆには、図１６（Ｂ）に示すような情報が表示される。なお、このような情報は、図１３に示す流通情報に基づいて生成される。ステップＳ１５では、ＣＰＵ３０ｅは、ホストコンピュータ１０からワイン管理証明書を受信し、表示部３０ｆに表示する。その結果、表示部３０ｆには、図１６（Ｃ）に示すような情報が表示される。なお、このような情報は、図１３に示す管理情報に基づいて生成される。
【００５０】
ステップＳ１６では、ＣＰＵ３０ｅは、ホストコンピュータ１０からワイン品質情報を受信し、表示部３０ｆに表示する。その結果、表示部３０ｆには、図１７（Ａ）に示すような情報が表示される。なお、このような情報は、図１３に示す品質情報に格納されているファイル名に対応するデータに基づいて生成される。ステップＳ１７では、ＣＰＵ３０ｅは、ホストコンピュータ１０からワイン流通量情報を受信し、表示部３０ｆに表示する。その結果、表示部３０ｆには、図１７（Ｂ）に示すような情報が表示される。なお、このような情報は、図１５に示す情報に基づいて生成される。ステップＳ１８では、ＣＰＵ３０ｅは、ホストコンピュータ１０からお客様へのアドバイスを受信し、表示部３０ｆに表示する。その結果、表示部３０ｆには、図１７（Ｃ）に示すような情報が表示される。なお、このような情報は、図１３に示す助言情報に格納されているファイル名に対応するデータに基づいて生成される。
【００５１】
つぎに、図１９を参照して、ホストコンピュータ１０において実行される処理について説明する。図１９の処理が開始されると、ステップＳ３０において、ＣＰＵ１０ｅは、認証の要求が端末装置３０からなされたか否かを判定し、要求がなされたと判定した場合（ステップＳ３０；Ｙｅｓ）にはステップＳ３１に進み、それ以外の場合（ステップＳ３０；Ｎｏ）は同様の処理を繰り返す。ステップＳ３１では、ＣＰＵ１０ｅは、製造情報を端末装置３０から受信する。ステップＳ３２では、ＣＰＵ１０ｅは、ＨＤＤ１０ｂに該当する製造情報（図１３に示す情報）が格納されているか否かを判定し、該当する製造情報が存在する場合（ステップＳ３２；Ｙｅｓ）にはステップＳ３４に進み、それ以外の場合（ステップＳ３２；Ｎｏ）にはステップＳ３３に進む。ステップＳ３３では、ＣＰＵ１０ｅは、認証に失敗したことを端末装置３０に対して通知する。その結果、端末装置３０では、ステップＳ１２においてＮｏと判定される。ステップＳ３４では、ＣＰＵ１０ｅは、ＨＤＤ１０ｂに格納されている流通情報を参照し、当該ボトルワイン７０が全ての流通過程を通過していると判定した場合（ステップＳ３４；Ｙｅｓ）にはステップＳ３５に進み、それ以外の場合（ステップＳ３４；Ｎｏ）にはステップＳ３３に進む。ステップＳ３５では、ＣＰＵ１０ｅは、ＨＤＤ１０ｂに格納されている管理情報を参照し、当該ボトルワイン７０が全ての流通過程において正常な温度範囲に保たれていたと判定した場合（ステップＳ３５；Ｙｅｓ）にはステップＳ３６に進み、それ以外の場合（ステップＳ３６；Ｎｏ）にはステップＳ３３に進む。
【００５２】
ステップＳ３６では、ＣＰＵ１０ｅは、製造情報に基づいて生成したワイン品質証明書を端末装置３０に対して送信する。この結果、端末装置３０では、図１６（Ａ）に示すワイン品質証明書が表示部３０ｆに対して表示される。ステップＳ３７では、ＣＰＵ１０ｅは、流通情報に基づいて生成したワイン流通証明書を端末装置３０に対して送信する。この結果、端末装置３０では、図１６（Ｂ）に示すワイン流通証明書が表示部３０ｆに対して表示される。ステップＳ３８では、ＣＰＵ１０ｅは、管理情報に基づいて生成したワイン管理証明書を端末装置３０に対して送信する。この結果、端末装置３０では、図１６（Ｃ）に示すワイン管理証明書が表示部３０ｆに対して表示される。ステップＳ３９では、ＣＰＵ１０ｅは、品質情報に示されるファイル名に対応するデータに基づいて生成したワイン品質情報を端末装置３０に対して送信する。この結果、端末装置３０では、図１７（Ａ）に示すワイン品質情報が表示部３０ｆに対して表示される。ステップＳ４０では、ＣＰＵ１０ｅは、図１５に示す情報に基づいて生成したワイン流通量情報を端末装置３０に対して送信する。この結果、端末装置３０では、図１７（Ｂ）に示すワイン流通量情報が表示部３０ｆに対して表示される。ステップＳ４１では、ＣＰＵ１０ｅは、助言情報に示されるファイル名に対応するデータに基づいて生成したお客様へのアドバイス情報を端末装置３０に対して送信する。この結果、端末装置３０では、図１７（Ｃ）に示すお客様へのアドバイス情報が表示部３０ｆに対して表示される。
【００５３】
以上の実施形態によれば、小売業者または消費者が端末装置３０を操作して、ボトルワイン７０に付与されているタグ装置５０に記録されている情報をリーダライタ４０によって読み取ると、ホストコンピュータ１０において、当該ボトルワイン７０の正当性が判定され、正当であると判定された場合にのみ、当該ボトルワイン７０に関する情報が表示されるようにしたので、タグ装置５０に記録されている情報を有効に利用することができるとともに、ボトルワイン７０の正当性を知ることが可能になる。
【００５４】
また、以上の実施形態では、製造業者、流通過程、および、管理状態が正当になされている場合にのみ、正当性を保証するようにしたので、本来、流通過程から除外されるべき商品に対して正当性が保証されることを防止できる。これにより、例えば、流通過程から除外されたボトルワインが、不正に販売された場合には、正当性が保証されないことから、不正な販売であることを知ることができる。また、ワインのように高級商品であり、しかも、品質管理が重要である商品については、製造業者、流通過程、および、管理状態の全てが適正である場合にのみ販売に供せられることを担保できるので、商品に化体する業務上の信用を確実に保護することができる。
【００５５】
また、以上の実施形態では、商品の正当性が認証された場合に、製造状況に関する情報を呈示するようにしたので、当該商品を購入した消費者に対して、製造状況に関する有益な情報を与えることができる。また、商品の正当性が認証された場合に、同一種類の商品の流通過程に存在する個数に関する情報を呈示するようにしたので、当該商品を購入した消費者に対して、当該商品の希少性等を示すことにより、一層の価値を醸成することができる。また、商品の正当性が認証された場合に、消費時期に関する情報を呈示するようにしたので、当該商品を購入した消費者に対して、例えば、ワインの飲み頃に関する情報を呈示することにより、ワインをより好ましい時期に消費させることができる。
【００５６】
（Ｃ）変形実施の態様
なお、上述した実施の形態は、あくまでも本発明の一態様を示すものであり、本発明の範囲内で任意に変形および応用が可能であることは勿論である。
例えば、以上の実施の形態では、ホストコンピュータ１０は１台とし、端末装置３０−０〜３０−７およびリーダライタ４０−０〜４０−７はそれぞれ８台としたが、これ以外の台数であってもよい。
また、流通過程としては、図１０に示す５カ所を例に挙げて説明したが、これ以外の流通過程が含まれるようにしてもよい。また、流通過程がこれよりも少なくてもよい。
【００５７】
また、以上の実施の形態では、不揮発性メモリ５０ｉに記録される情報としては、日時データと温度データの２種類としたが、これ以外の情報を含むようにしてもよい。具体的な例としては、例えば、気圧センサ、湿度センサ、傾斜センサ、衝撃センサ、または、光センサ等を設け、これらによって検出された情報を取得して不揮発性メモリ５０ｉに記録するようにしてもよい。これらのセンサを設けることにより、例えば、ボトルワインが、常圧とは異なる気圧にさらされて液漏れを生じたり、保存に最適とされる７０％以下の湿度となってコルク栓が劣化したり、ボトルが傾けられてコルクが濡れていない状態となったり、ボトルに強い衝撃が加わったり、あるいは、ワインが必要以上に光にさらされていないかを知ることができる。また、タグ装置５０を備える対象の商品として、ボトルワインを例に挙げて説明したが、これ以外の商品に備えるようにしてもよい。
【００５８】
また、以上の実施の形態では、タグ装置５０は、正規のリーダライタ以外からアクセスされた場合はアクセスを受け付けないようにしたが、不正なアクセスがなされた場合は、ＣＰＵ５０ｆが不揮発性メモリ５０ｉに格納されている情報を自動的に削除するようにしてもよい。そのような方法によれば、不正アクセス等から情報を確実に保護することができる。
【００５９】
また、以上の実施形態では、リーダライタ４０によってタグ装置５０に格納されている情報を読み取って、ホストコンピュータ１０に対して認証要求を行うようにしたが、例えば、タグ装置５０に表示装置を設け、あるいは、タグ装置５０に表示装置を接続可能とし、当該表示装置にタグ装置５０に格納されている情報を表示し、当該表示された情報を端末装置の入力部３０ｃから入力するようにしてもよい。あるいは、タグ装置５０に格納されている情報に基づいて生成された一次元または二次元バーコードを表示し、表示されたバーコードを端末装置で読み取るようにしてもよい。なお、リーダライタ４０から読み取られた情報をホストコンピュータ１０に送信する際に、例えば、パスワード等を併せて入力し、ホストコンピュータ１０においてパスワードも含めて認証を行うことにより、情報の秘匿性を高めるようにしてもよい。なお、当該パスワードは、例えば、タグ装置５０の５０ｂに予め記憶しておき、当該パスワードを使用するようにしたり、消費者が小売業者から購入する際に、製造業者側から渡されたパスワードを消費者に対して通知したりしてもよい。あるいは、ワンタイムパスワード発生器を消費者に供与し、当該ワンタイムパスワード発生器によって発生されたパスワードを利用して認証を行うようにしてもよい。
【００６０】
また、以上の実施形態では、最終消費者が個人の場合を例に挙げて説明したが、例えば、レストランを営む飲食業者がワインを客に提供する際に、例えば、ソムリエが当該ワインに付されたタグ装置５０をリーダライタ４０によって読み取ることにより、図１６および図１７に示す情報を表示部３０ｆに表示させることもできる。これにより、高級ワインの対価に見合う満足を提供することができる。
【００６１】
また、以上の実施形態では、消費者が消費した後については説明していないが、消費者が消費した後には、例えば、輸送業者等によって、空のボトルがリサイクルされ、製造業者に戻されるようにしてもよい。そのような方法によれば、タグ装置５０およびボトルを有効利用することができる。また、リサイクルされる際に、リーダライタによってタグ装置５０に記録された情報を取得してホストコンピュータ１０に送信し、図１５に示し情報に反映させることにより、消費者所有本数を正確に計数することができる。
【００６２】
また、タグ装置５０を耐タンパ構造とすることにより、不揮発性メモリ５０ｉに格納されている情報に対する保護を強化するようにしてもよい。より詳細には、タグ装置５０の図３に示す回路が封入された保護層が破壊された場合には、回路または回路パターンが動じに破壊されるようにする。これにより、保護層を破壊して、内部の回路を解析することを不可能にすることができるので、不揮発性メモリ５０ｉに格納されている情報の保護を一層強めることができる。また、図９（Ａ）に示す情報については、出荷後に書き換えられることはないので、不揮発性メモリ５０ｉではなく、書き換え不能なＲＯＭ４０ｂに記録することにより、不正な改変を防止できる。
【００６３】
また、以上の実施形態では、タグ装置５０は、ボトル７１，８１の底部に設けるようにしたが、例えば、コルク栓７２，８２の内部に設けたり、ラベルの裏側に設けたり、ボトル７１，８１の表面に設けたりするようにしてもよい。
【００６４】
また、以上の実施の形態では、非接触型のタグを例に説明したが、接触型のタグであっても良い。
【図面の簡単な説明】
【００６５】
【図１】本発明の実施形態の商品情報管理システムの全体構成を示す図である。
【図２】図１に示すホストコンピュータの構成例を示すブロック図である。
【図３】図１に示す端末装置の構成例を示すブロック図である。
【図４】図１に示すリーダライタの構成例を示すブロック図である。
【図５】図１に示すタグ装置の構成例を示すブロック図である。
【図６】ワインのボトルの底にタグ装置を取り付けた例である。
【図７】ワインのボトルの底にタグ装置を取り付けた他の例である。
【図８】リーダライタとタグ装置の通信の態様を示す図である。
【図９】本実施形態のタグ装置の動作の概略を説明するための図である。
【図１０】ボトルワインの流通の過程を示す図である。
【図１１】不揮発性メモリに書き込まれる初期情報の一例である。
【図１２】不揮発性メモリに書き込まれるデータの一例である。
【図１３】ホストコンピュータに格納されているデータの一例である。
【図１４】ワインの保管温度を示す図である。
【図１５】ホストコンピュータに格納されているデータの一例である。
【図１６】端末装置に表示される情報の一例である。
【図１７】端末装置に表示される情報の一例である。
【図１８】端末装置において実行される処理の一例である。
【図１９】ホストコンピュータにおいて実行される処理の一例である。
【符号の説明】
【００６６】
１０…ホストコンピュータ、２０…ネットワーク、３０−０〜３０−７…端末装置、４０−０〜４０−７…リーダライタ、５０…タグ装置、５０ａ…通信部、５０ｂ…ＲＯＭ、５０ｃ…変復調回路、５０ｄ…充電監視回路、５０ｅ…ＲＡＭ、５０ｆ…ＣＰＵ、５０ｇ…バッテリ、５０ｈ…電源回路、５０ｉ…不揮発性メモリ、５０ｊ…時計、５０ｋ…温度センサ、７０，８０…ボトルワイン。
【図１】
2010079560.tif 000003
【図２】
2010079560.tif 000004
【図３】
2010079560.tif 000005
【図４】
2010079560.tif 000006
【図５】
2010079560.tif 000007
【図６】
2010079560.tif 000008
【図７】
2010079560.tif 000009
【図８】
2010079560.tif 000010
【図９】
2010079560.tif 000011
【図１０】
2010079560.tif 000012
【図１１】
2010079560.tif 000013
【図１２】
2010079560.tif 000014
【図１３】
2010079560.tif 000015
【図１４】
2010079560.tif 000016
【図１５】
2010079560.tif 000017
【図１６】
2010079560.tif 000018
【図１７】
2010079560.tif 000019
【図１８】
2010079560.tif 000020
【図１９】
2010079560.tif 000021